(57)【要約】【課題】振動や衝撃耐性を向上させることにより、電子機器の瞬断の発生を抑制し、瞬断復帰回路を省略できる（実装面積の低減化およびコスト削減を図ることができる）接点金具および携帯電子機器を提供することを目的とする。【解決手段】同一の電極に接触する少なくとも２つの接触片１１０を有する接点金具であって、１つの接触片１１０aが離間方向に変形した際に、他の接触片１１０ｂを当接方向に変形させることを特徴とする。【選択図】図１
2010130259.tif 000002
【特許請求の範囲】
【請求項１】
同一の電極に接触する少なくとも２つの接触片を有する接点金具であって、
１つの接触片が前記電極から離れる離間方向に変形した際に、他の接触片を前記電極に近づく当接方向に変形させることを特徴とする接点金具。
【請求項２】
前記接触片の少なくとも１つは、ループ形状をなし、離間方向に変形されることにより幅が増大して、他の接触片を付勢して、該他の接触片を当接方向に変形させることを特徴とする請求項１に記載の接点金具。
【請求項３】
前記接触片の少なくとも１つは、先端に前記接触片自体を屈曲させて形成した略三角形の部分を有し、離間方向の力を受けた際に、前記三角形の部分が他の接触片を付勢するように、前記接触片の基部が変形することを特徴とする請求項１に記載の接点金具。
【請求項４】
前記基部は、当接方向に対して傾斜するように屈曲していることを特徴とする請求項３に記載の接点金具。
【請求項５】
当接方向先端で折り返した２重構造のＣ字形状の接触片と、該Ｃ字形状の接触片の両脇に配置された２つのループ形状の接触片とを含む３つの前記接触片を備え、
前記ループ形状の接触片が離間方向に変形した際に、前記Ｃ字形状の接触片を両脇から挟み込むように付勢して当接方向に伸張させることを特徴とする請求項１に記載の接点金具。
【請求項６】
前記少なくとも２つの接触片は、変形容易な方向が異なることを特徴とする請求項１から５のいずれか１項に記載の接点金具。
【請求項７】
前記少なくとも２つの接触片は、弾性が異なることを特徴とする請求項１から６のいずれか１項に記載の接点金具。
【請求項８】
バッテリーと、
１つの接触片が前記バッテリーから離れる離間方向に変形した際に、他の接触片を付勢して前記バッテリーに近づく当接方向に変形させる接点金具を備えた本体とを備え、
前記バッテリーは、前記接点金具に接触する電極を有することを特徴とする携帯電子機器。
【発明の詳細な説明】
【技術分野】
【０００１】
本発明は、接点金具およびこれを備えた携帯電子機器に関するものである。
【背景技術】
【０００２】
近年、ＰＨＳ（Personal Handy-phone System）や携帯電話などの移動通信端末、ＰＤＡ（Personal Digital Assistant）やＧＰＳ(Global Positioning System)などの情報端末など、様々な携帯電子機器が提案され、また提供されている。
【０００３】
特に、携帯電話やＰＨＳなどの携帯電子機器の発展および普及はめざましく、周辺技術の高度化、小型化も進行している。一方、携帯端末は、常時使用者に持ち歩かれるので、所定の振動や衝撃への耐性が求められる。しかし、従来の携帯端末では、バッテリーの電源端子と、携帯端末の接点金具とが、強い衝撃により一時的に離れ、瞬断を引き起こしてしまうおそれがあった。強い衝撃とは、例えば落下による衝撃荷重や、二つ折り筐体を勢いよく閉じたときの衝撃荷重などである。
【０００４】
そこで、一般的には瞬断に備えて、端末の内部にコンデンサを実装し、電荷をためておくことが行われている。しかし、携帯端末の小型化に伴い素子の実装面積は制限される一方であり、また小型高容量のコンデンサは高価であるため、生産コストが上昇するという問題がある。
【０００５】
これに伴い、様々な技術が提案されている。例えば特許文献１には、瞬断を抑制するために、弾性力の異なる少なくとも２つの端子を同心円状に配置したピン型受電用電源端子構造が開示されている。また特許文献２には、所定の電圧を下回るとＲＴＣ回路（リアルタイムクロックＩＣ）から供給されるクロック信号をカウントし、カウント数に応じて瞬断に該当すると判断された場合自動復帰する瞬断復帰回路が開示されている。
【特許文献１】特開２００８−  ８５７３９号公報
【特許文献２】特開２００１−２５１７８３号公報
【発明の開示】
【発明が解決しようとする課題】
【０００６】
しかしながら、特許文献１の技術では、複数の端子の弾性力を異ならせたとしても、外部から衝撃を受けた場合には衝撃荷重は全ての端子に同時にかかる。このことから、当然に同時に離間するため、瞬断を抑制することができなかった。また特許文献２の技術では、瞬断復帰回路を構成する種々の素子を実装しなければならないので、携帯電子機器の小型化に逆行する形となっていた。またコスト面でも、瞬断復帰回路を実装すれば当然に割高となった。
【０００７】
上述したように、接点金具の離間により瞬断を生じるとき、落下による衝撃荷重や、二つ折り筐体を勢いよく閉じたときの衝撃荷重などが要因となる。そして、バッテリーが移動して接点金具をたたく場合や、接点金具自体が加速度によってたわむ場合もある。いずれの場合にあっても、接点金具が離間方向に力を受けた場合に瞬断が生じる。ここで接点金具の弾性を高くして容易にはたわまないようにすることが考えられるが、それではバッテリーを装着しにくくなってしまううえに、バッテリーの電極に常に接点金具から強い応力がかかるために錆（応力腐食）の原因となってしまう。すなわち接点金具は、弾性が低く、かつバッテリーの電極からは離れにくいという相反する性能が求められている。
【０００８】
そこで本発明は上記した課題を解決するためになされたものであり、振動や衝撃耐性を向上させることにより、電子機器の瞬断の発生を抑制することが可能な接点金具および携帯電子機器を提供することを目的とする。
【課題を解決するための手段】
【０００９】
上記課題を解決するために、本発明にかかる接点金具の代表的な構成は、同一の電極に接触する少なくとも２つの接触片を有する接点金具であって、１つの接触片が電極から離れる離間方向に変形した際に、他の接触片を電極に近づく当接方向に変形させることを特徴とする。
【００１０】
かかる構成によって、接触片のいずれかを電極と接触させ、電子機器の瞬断の発生を抑制できる。これにより、瞬断復帰回路を省略し、実装面積の低減化およびコスト削減を図ることができる。
【００１１】
接触片の少なくとも１つは、ループ形状をなし、離間方向に変形されることにより幅が増大して、他の接触片を付勢して、他の接触片を当接方向に変形させるとしてもよい。これにより、好適に、他の接触片を当接方向に変形させる（押し上げる）ことができる。
【００１２】
接触片の少なくとも１つは、先端に接触片自体を屈曲させて形成した略三角形の部分を有し、離間方向の力を受けた際に、三角形の部分が他の接触片を付勢するように、前記接触片の基部が変形するとしてもよい。これにより、接触片の先端に剛体とみなせる三角部を形成することができ、他の接触片を確実に付勢することができる。
【００１３】
接触片の基部は、当接方向に対して傾斜して屈曲されているとしてもよい。これにより、基部に直交する方向に接触片は曲がりやすくなるので、変形容易な方向を異ならせることができる。
【００１４】
少なくとも３つの接触片を備えている場合において、当接方向先端で折り返した２重構造のＣ字形状の接触片と、Ｃ字形状の接触片の両脇に配置された２つのループ形状の接触片とからなり、ループ形状の接触片が離間方向に変形した際に、Ｃ字形状の接触片を両脇から挟み込むように付勢して当接方向に伸張させるとしてもよい。これにより、Ｃ字形状の接触片は、水平方向からの力に強く、かつ、直交方向からの付勢力によって当接方向に伸張するので、ループ形状の接触片と組み合わせることによりバッテリー（電極）に対する当接を維持できる。
【００１５】
少なくとも２つの接触片を備えており、夫々の変形容易な方向が異なるとしてもよい。これにより、一方の接触片が衝撃に対して変形しても、他方の接触片が変形しないためバッテリーに対する当接を維持できる。
【００１６】
少なくとも２つの接触片を備えており、夫々の弾性が異なるとしてもよい。これにより、一方の接触片が優先的に変形して他方の接触片を付勢するため、他方の接触片の離間方向への変形を阻止し、バッテリーに対する当接を維持できる。
【００１７】
上記課題を解決するために、本発明にかかる携帯電子機器の代表的な構成は、バッテリーと、１つの接触片がバッテリーから離れる離間方向に変形した際に、他の接触片を付勢してバッテリーに近づく当接方向に変形させる接点金具を備えた携帯端末本体とを備え、バッテリーは、接点金具に接触する電極を有することを特徴とする。
【００１８】
かかる構成によって、接触片のいずれかを電極と接触させ、携帯端末の瞬断の発生を抑制できる。これによりコンデンサの容量を削減したり瞬断復帰回路を省略したりすることができるため実装面積の低減化およびコスト削減を図ることができる。
【００１９】
上記した接点金具における技術的思想に対応する構成要素やその説明は、当該携帯電子機器にも適用可能である。
【発明の効果】
【００２０】
本発明によれば、振動や衝撃耐性を向上させることにより、電子機器の瞬断の発生を抑制することが可能な接点金具および携帯電子機器を提供することができる。
【発明を実施するための最良の形態】
【００２１】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。また、本明細書及び図面において、実質的に同一の機能、構成を有する要素については、同一の符号を付することにより重複説明を省略し、本発明に直接関係のない要素は図示を省略する。なお、本明細書において、バッテリーに対して近づく方向を当接方向と定義し、バッテリーから離れる方向を離間方向と定義する。
【００２２】
（第１実施形態）
図１は、第１実施形態にかかる接点金具１００の斜視図である。接点金具１００は一枚の板金から形成され、接触片１１０a、接触片１１０ｂ、平坦部１３０、他端連結部１３２を備える。接触片１１０a、接触片１１０ｂは、平坦部１３０を介して他端連結部１３２と連結される。他端連結部１３２は、不図示の電気回路に半田などによって接合される。平坦部１３０は、接点金具１００の実装箇所に応じて、適宜形状を変更してよい（平坦でなくても構わない）。
【００２３】
接触片１１０aは片持ちのループ形状をなしている。本実施形態ではループ形状は段階的に屈曲させたひし形であり、基部１１２a、第１折り返し部１１４a、第２折り返し部１１６a、第３折り返し部１１８aから構成される。なお、図１では基部１１２ａが平坦部１３０に対して接触片１１０ｂから離れる方向に屈曲しているが、接触片１１０ｂに近づく方向に屈曲した逆回りのループ形状としてもよい。また、ひし形ではなく、円形または楕円形としてもよい。
【００２４】
接触片１１０ｂは先端に接触片１１０ｂ自体を屈曲させて形成した三角形の部分（以下「三角部１２０」という。）を片持ちに支持した形状となっている。詳しくは、基部１１２ｂ、第１折り返し部１１４ｂ、第２折り返し部１１６ｂ、第３折り返し部１１８ｂから構成される。基部１１２ｂは、平坦部１３０に対して接触片１１０ａに近づく方向に屈曲している。
【００２５】
接触片１１０ｂにおいて、第２折り返し部１１６ｂの先端は基部１１２ｂに当接しており、剛体とみなせる三角部１２０を形成する。接触片１１０ｂの先端を三角部１２０とすることにより、接点部１２２ｂをバッテリー１４０近傍に配置しつつ、第１折り返し部１１４ａを接触片１１０ａのループ形状の下に潜り込む角度の傾斜面とすることができる。なお、必ずしも三角形である必要はなく、四角形などの多角形、もしくは円形や楕円形であってもよい。
【００２６】
接触片１１０aと接触片１１０ｂは、それぞれ、接点部１２２a、１２２ｂで、バッテリー１４０と当接する。バッテリー１４０からの電流は、他端連結部１３２に伝えられ、他の回路へ導電される。なお、本実施形態では、接点部１２２a、１２２ｂは、基部１１２a、１１２ｂと、第１折り返し部１１４a、１１４ｂとの交点となっているが、第１折り返し部１１４a、１１４ｂが接点部となってもよい。すなわち、接触片１１０a、１１０ｂの面でバッテリー１４０と当接してもよい。
【００２７】
図２は接点金具１００の接触片１１０a、接触片１１０ｂの変形容易な方向を示す図である。図３は接点金具１００の変形している様子を説明する図であって、図３（ａ）は接触片１１０ａが離間方向に変形している場合、図３（ｂ）は接触片１１０ｂが離間方向に変形している場合を示している。なお、変形容易とは、所定の方向から力を加えた場合、その方向に容易に接触片１１０a、１１０ｂが変形することを意味する。
【００２８】
接触片１１０aは、図２に示すように、離間方向に変形容易である。これは、接触片１１０aが概ねひし形のループ形状をしており、変形する際に各頂点に力のモーメントが働くためである。そして図３（ａ）に示すように、離間方向に変形した場合には、つぶれて接触片１１０ａの幅が広がり、接触片１１０ｂを付勢する。これにより接触片１１０ｂは、基部１１２ｂが変形して三角部１２０が（接点部１２２ｂが）当接方向に押し上げられる。
【００２９】
接触片１１０ｂは、図２に示すように、離間方向に対して傾斜した方向、すなわち基部１１２ｂに直交する方向に変形容易である。これは、先端に剛体とみなせる三角部１２０を有するので、基部１１０ｂだけがたわむためである。そして図３（ｂ）に示すように、離間方向に変形した場合には接触片１１０ａに向かって倒れ込み、接触片１１０ａを付勢する。すると接触片１１０ａは幅方向につぶされて変形するため、その先端である接点部１２２ａは当接方向に伸張される。また、接触片１１０ａのループ形状の下側に三角部１２０が潜り込むことによっても、接触片１１０ａを当接方向に押し上げる作用が発揮される。
【００３０】
かかる構成により、接触片１１０ａ、１１０ｂの一方が衝撃によってバッテリー１４０から離れる離間方向に変形しても、他の接触片１１０ｂ、１１０ａを電極に近づく当接方向に変形させることができる。したがって、接触片１１０ａ、１１０ｂはバッテリー１４０の電極に対して交互に離接するように振動し、図３（ａ）と図３（ｂ）の状態を繰り返す。これにより、いずれかの接触片１１０ａ、１１０ｂをバッテリー１４０と接触させておくことができるため、電子機器の瞬断の発生を抑制できる。
【００３１】
仮に両方の接触片１１０ａ、１１０ｂが離れる瞬間があったとしても、従来の接触片と比較すれば離間している時間は極めて短く、小容量のコンデンサを備えていれば足りる。これらのことから、コンデンサの素子数および実装面積を削減し、瞬断復帰回路を省略することができるため、装置の小型化およびコスト削減を図ることができる。
【００３２】
また、衝撃荷重を受けた場合に、いずれの接触片が先に離れて、いずれの接触片が最初に当接を維持するかが問題となる。
【００３３】
しかし上記のように、接触片１１０a、１１０ｂの変形容易な方向が異なるので、衝撃荷重の方向によってその方向に変形容易な接触片が先に離間する。
【００３４】
例えば、落下などによって離間方向の衝撃荷重を受けた場合、接触片１１０ａの変形方位方向が離間方向であるから、接触片１１０ａがより多く変形し、接触片１１０ｂを付勢するため、接触片１１０ｂをバッテリーに向かって押し上げることになり、バッテリー１４０との接触を維持させることができる。また例えば、離間方向と直交する方向に衝撃荷重を受けた場合、接触片１１０ｂがより多く変形し、接触片１１０ａのループ形状を押しつぶすため、接触片１１０ａがバッテリー１４０に向かって伸張することとなり、バッテリー１４０との接触を維持させることができる。
【００３５】
図４は、接点金具１００の弾性の異なる接触片１１０ａ、接触片１１０ｂの構成を説明するための図である。図４に示すように、接触片１１０a、１１０ｂの幅を異ならせて、弾性を異ならせてもよい。これにより、弾性の低い接触片が優先的に変形して、弾性の高い接触片を付勢するため、弾性の高い接触片の離間方向への変形を阻止し、バッテリー１４０に対する当接を維持できる。図１では接触片１１０ａの幅を接触片１１０ｂよりも狭くして弾性を低くしている。したがって離間方向の衝撃荷重を受けた場合には、より確実に接触片１１０ａが変形し、接触片１１０ｂを付勢してバッテリー１４０との接触を維持させることができる。
【００３６】
なお図４に示したように、接触片１１０aは、先端に行くに従って、板幅が細くなっている。これにより基部１１２ａより先端部の方がたわみやすくなり、また先端部の質量を軽くすることができるため、基部１１２ａの変形を少なくすることができる。これにより接触片１１０ａが外側（図の右下方向）へ変形してしまうことを防止し、接触片１１０ｂをさらに確実に付勢することができる。
【００３７】
また図示しないが、接点金具１００の周りにケースを取り付け（携帯端末の筐体の壁面を配置し）、接触片１１０aが接触片１１０ｂから離れる方向に移動することを規制してもよい。これにより、接触片１１０ａを接触片１１０ｂにさらに確実に付勢することができる。
【００３８】
図５は２つの接触片を備えた接点金具１００の他の形状の例を示す図である。図５（a）から（ｈ）に示すように、本実施形態は、上記した構成に限定されることなく適用可能である。
【００３９】
図５（ａ）に示す接点金具１６０は、ループ形状をなす接触片１６０ａが上記の接触片１１０ａと逆回しに形成されている。これにより、ループ形状の変形容易方向を他の接触片１６０ｂに向けることができる。なお他の接触片１６０ｂは三角部に変えて四角部１６２を形成し、その端部を接点部１６４の裏側に突き当てている。これにより四角部１６２に繰り返して負荷がかかった場合であっても、その変形を防止して剛体としての機能を発揮させることができる。
【００４０】
図５（ｂ）に示す接点金具１６６は、２つの接触片１６６ａ、１６６ｂの先端に剛体と見なせる三角部１６８ａ、１６８ｂを有している。これにより、一方が他方を付勢する際に、剛体とみなせる三角部同士が接するので、確実に他の接触片を付勢できる。
【００４１】
図５（ｃ）に示す接点金具１７０は、接触片１７０ａ、１７０ｂが第１折り返し部１７２ａ、１７２ｂでバッテリー１４０と接している。これにより、安定的に電力を受電できる。
【００４２】
図５（ｄ）に示す接点金具１７４は、円状の接触片１７４aと、ループ形状の先端に剛体と見なせる三角部１７６が形成された接触片１７４ｂを有している。これにより、接触片が外側（図の右方向および左方向）に変形しても、確実にバッテリー１４０と当接することができる。
【００４３】
図５（ｅ）に示す接点金具１７８は、ひし形形状をなす接触片１７８aと、ピン状の接触片１７８ｂから形成されている。接点金具１００に大きさの制限がある場合、ピン型の接触片１７８ｂを用いても本実施形態を適用できる。
【００４４】
図５（ｆ）に示す接点金具１８０は、接触片１８０aと接触片１８０ｂが接する箇所に嵌合部１８２（凹凸）が形成されている。これにより、確実に他の接触片を付勢できる。
【００４５】
なお、図５（ｇ）に示すように、弾性の異なる同形状の接触片１８４a、１８４ｂに嵌合部１８６を形成してもよい。これにより、離間方向に同時に力を受けても、弾性の低い接触片が優先的に変形して、他方の接触片を確実に付勢するため、バッテリーに対する当接を維持できる。異なる形状の接触片を形成する必要がないので、コストを削減できる。
【００４６】
図５（ｈ）に示す接点金具１８８は、接点部１９０ａが円弧上に形成された接触片１８８aと、第１折り返し部１９２が接点部１９０ｂとなりバッテリー１４０に当接している接触片１８８ｂと、から形成されている。これにより、第１折り返し部１９２でバッテリーに当接している接触片１８８ｂが離間方向に変形されると、円弧上の接点部１９０aが形成された接触片１８８ａは当接方向に押し上げられて、その付勢力によって変形し、バッテリー１４０と面で当接することができる。
【００４７】
以上、本実施形態によれば、接触片１１０a、１１０ｂのいずれかを電極と接触させ、電子機器の瞬断の発生を抑制できるので、コンデンサの容量を削減したり瞬断復帰回路を省略したりすることができるため、実装面積の低減化およびコスト削減を図ることができる。なお、接点金具１００は、一枚の板金で形成しているため、従来のコネクタ部品より形状が大きくなったり、コストが上昇したりすることはない。
【００４８】
図６は、第１実施形態にかかる接点金具を携帯電子機器に適用した例を示す図である。なお、当業者にとって周知である携帯電話３００のその他の構造については、説明および図示を省略する。
【００４９】
携帯電話３００の背面側には、バッテリー３４０を着脱自在に収納可能なバッテリー収納凹部３５０が形成されている。バッテリー収納凹部３５０は、たとえば薄型直方体状のバッテリー３４０を収納可能な直方体状の凹部である。そして、バッテリー収納凹部３５０の側壁には、バッテリー３４０の＋電源端子３４２、制御端子３４４、−電源端子３４６から受電する接点金具１００を有している。
【００５０】
なお、バッテリー３４０をバッテリー収納凹部３５０に保持するために、バッテリー収納凹部３５０の両端には係止溝３５２、フック３５６が形成されている。また、バッテリー３４０の両端部には係止爪３５４、フック嵌合部３５８が形成されている。
【００５１】
かかる構成により、振動や衝撃によるバッテリー３４０の位置ずれを防ぎ、接点金具１００との当接を保持する。しかし、係止爪３５４とフック嵌合部３５８との寸法公差（アライメント）により、落下などの衝撃によってバッテリー３４０が微少に位置ずれを生じる場合はある。その場合にバッテリー３４０が接点金具１００を離間方向に押し込んだとしても、接点金具１００を上記構成としたことにより接点金具１００とバッテリー３４０の接続は維持される。また接点金具１００自体にかかる衝撃荷重によって離間方向への変形が生じようとした場合にも、上記説明したように、バッテリー３４０との接続は維持される。
【００５２】
以上、本実施形態によれば、振動や衝撃耐性を向上させることにより、携帯電子機器の瞬断の発生を抑制できるため、コンデンサの容量を削減したり瞬断復帰回路を省略したりすることができ、携帯端末の小型化および低価格化を図ることができる。また瞬断が生じないことから、使用者にとって信頼性の高い携帯端末とすることができる。
【００５３】
（第２実施形態）
本実施形態に係る接点金具の第２実施形態について説明する。上記第１実施形態は２つの接触片を備えた例を説明したが、第２実施形態では３つの接触片を備えた例を説明する。
【００５４】
図７は、第２実施形態にかかる接点金具２００の形状と、３つの接触片２１０ａ、２１０ｂ、２１０ｃの変形容易な方向を示す図である。上記第１実施形態と説明の重複する部分については同一の符号を付して説明を省略する。
【００５５】
接点金具２００は、一枚の板金から形成され、接触片２１０ａ、接触片２１０ｂ、接触片２１０ｃ、平坦部２３０a、平坦部２３０ｃ、他端連結部１３２を備える。接触片２１０ａ、２１０ｂ、２１０ｃは、平坦部２３０a、２３０ｃを介して他端連結部１３２と連結される。平坦部２３０a、２３０ｃは、接点金具２００の実装箇所に応じて、適宜形状を変更してよい（平坦でなくても構わない）。
【００５６】
接触片２１０ａ、２１０ｃは、第１実施形態に説明した接触片１１０ａと同じループ形状をなしている。接触片２１０ｃは接触片２１０ａと同じループ形状であるが、接触片２１０ｂに対して接触片２１０ａと鏡対称に配置されている。したがって接触片２１０ａと接触片２１０ｃとは同様の挙動を示し、離間方向に変形容易である。そして離間方向に変形した場合にはつぶれるように幅が広がって、接触片２１０ｂを両側から付勢する。
【００５７】
接触片２１０ａ、２１０ｃの具体的な形状例としては、基部２１２a、２１２ｃ、第１折り返し部２１４a、２１４ｃ、第２折り返し部２１６a、２１６ｃ、第３折り返し部２１８a、２１８ｃから構成される。
【００５８】
接触片２１０ｂは、当接方向に切れ目を有するＣ字形状をなし、Ｃ字部２２４、連結部２２６a、２２６ｃから構成される。接触片２１０ｂは、当接方向先端で折り返した２重構造となっていて、離間方向へは剛性が高くなっているが、横方向（離間方向と直交する方向）には剛性が低く、変形容易となっている。したがって接触片２１０ｂは、接触片２１０ａ、２１０ｃから付勢される力によってつぶれるように変形して当接方向に伸張する。
【００５９】
接触片２１０ｂの具体的な形状の例としては、連結部２２６a、２２６ｃの先端である接点部２２２ｂ、２２２ｃでバッテリー１４０と当接する。接触片２１０ａ、２１０ｃは、基部２１２a、２１２ｃと、第１折り返し部２１４a、２１４ｃとの交点である接点部２２２a、２２２ｄでバッテリー１４０と当接する。バッテリー１４０からの電流は、他端連結部１３２に伝えられ、他の回路へ電導される。
【００６０】
なお、接触片２１０ａ、２１０ｃは、接触片２１０ｂよりもバッテリー１４０側に突出するように配置されている。これは、接触片２１０ｂが離間方向への剛性が高いため、接触片２１０ｂが先にバッテリー１４０に当接すると、バッテリー１４０が装着しにくくなってしまうためである。
【００６１】
図８は、第２実施形態にかかる接点金具２００の変形している様子を説明する図であって、図８（ａ）は接触片２１０ａ、２１０ｃが離間方向に変形している場合、図８（ｂ）は接触片２１０ｂが離間方向に変形している場合を示している。
【００６２】
図８（a）に示すように、接触片２１０ａ、２１０ｃが離間方向に変形されていくと、幅が増大して、接触片２１０ｂを横方向から付勢し、当接方向に伸張するように変形させる。
【００６３】
伸張した接触片２１０ｂは反動によって離間方向に短縮するように変形するが、図８（ｂ）に示すように、短縮する際に幅が広がるように変形し、接触片２１０ａ、接触片２１０ｃを付勢する。接触片２１０ａ、２１０ｃは接触片２１０ｂに横方向から付勢されて変形して当接方向に伸張し、かつ自身の反動によっても当接方向に伸張する。
【００６４】
かかる構成によって、接点金具２００は、振動や衝撃が発生した場合、図８（a）と図８（ｂ）の状態を瞬間的に交互に繰り返す。これにより、Ｃ字形状をなす接触片２１０ｂ、ループ形状をなす接触片２１０ａ、２１０ｃのいずれかを電極と接触させ、電子機器の瞬断の発生を抑制できる。
【００６５】
以上、本実施形態によれば、電子機器の瞬断の発生を抑制し、コンデンサの容量を削減したり瞬断復帰回路を省略したりすることができるため、実装面積の低減化およびコスト削減を図ることができる。なお、接点金具２００は、一枚の板金で形成しているため、従来のコネクタ部品より形状が大きくなったり、コストが上昇したりすることはない。
【００６６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６７】
本発明は、接点金具およびこれを備えた携帯電子機器として利用可能である。更に、スライド式接点構造，挿抜式接点構造、可動式接点構造を有する携帯電子機器においても利用可能である。
【図面の簡単な説明】
【００６８】
【図１】第１実施形態にかかる接点金具の斜視図である。
【図２】第１実施形態にかかる接点金具の接触片の変形容易な方向を示す図である。
【図３】第１実施形態にかかる接点金具の変形している様子を説明する図である。
【図４】第１実施形態にかかる接点金具の弾性の異なる接触片の構成を説明するための図である。
【図５】２つの接触片を備えた接点金具の他の形状の例を示す図である。
【図６】第１実施形態にかかる接点金具を携帯電子機器に適用した例を示す図である。
【図７】第２実施形態にかかる接点金具の形状と、３つの接触片の変形容易な方向を示す図である。
【図８】第２実施形態にかかる接点金具の変形している様子を説明する図である。
【符号の説明】
【００６９】
１００…接点金具、１１０ａ、１１０ｂ、１１０ｃ…接触片、１１２ａ、１１２ｂ…基部、１１４ａ、１１４ｂ…第１折り返し部、１１６ａ、１１６ｂ…第２折り返し部、１１８ａ、１１８ｂ…第３折り返し部、１２０…三角部、１２２ａ、１２２ｂ…接点部、１３０…平坦部、１３２…他端連結部、１４０…バッテリー、２００…接点金具、２１０ａ、２１０ｂ、２１０ｃ…接触片、２１２ａ、２１２ｃ…基部、２１４ａ、２１４ｃ…第１折り返し部、２１６ａ、２１６ｃ…第２折り返し部、２１８ａ、２１８ｃ…第３折り返し部、２２２ａ、２２２ｂ、２２２ｃ、２２２ｄ…接点部、２２４…Ｃ字部、２２６ａ、２２６ｃ…連結部、２３０ａ、２３０ｃ…平坦部、３００…携帯電話、３４０…バッテリー、３４２…＋電源端子、３４４…制御端子、３４６…−電源端子、３５０…バッテリー収納凹部、３５２…係止溝、３５４…係止爪、３５６…フック、３５８…フック嵌合部
【図１】
2010130259.tif 000003
【図２】
2010130259.tif 000004
【図３】
2010130259.tif 000005
【図４】
2010130259.tif 000006
【図５】
2010130259.tif 000007
【図６】
2010130259.tif 000008
【図７】
2010130259.tif 000009
【図８】
2010130259.tif 000010